(57)【要約】【課題】  透明タッチパネル表面および透明導電膜について入力ペン等によって繰り返される摺動に対する耐久性を向上させ、また製造工程中の組立時や搬送時の歩留まり低下を抑えることのできる透明タッチパネルを提供する。【解決手段】  片面に透明導電膜がそれぞれ形成された固定側および可動側の透明基板を透明導電膜どうしがスペーサーを介して対向するように配置させた透明タッチパネルが、可動側の透明基板の透明導電膜が形成された面と反対側に自己治癒性コート層を有する。【選択図】      図１
2008186480.tif 000002
【特許請求の範囲】
【請求項１】
片面に透明導電膜がそれぞれ形成された固定側および可動側の透明基板を透明導電膜どうしがスペーサーを介して対向するように配置させた透明タッチパネルが、可動側の透明基板の透明導電膜が形成された面と反対側に自己治癒性コート層を有することを特徴とする透明タッチパネル。
【発明の詳細な説明】
【技術分野】
【０００１】
本発明は、ＰＤＡ（パーソナル・デジタル・アシスタント）やパソコン等に利用される液晶やブラウン管等のディスプレイ上に設置され、入力ペン等によって情報入力可能な透明タッチパネルに関するものである。
【背景技術】
【０００２】
透明タッチパネルは、片面に透明導電膜がそれぞれ形成された固定側および可動側の透明基板を透明導電膜どうしがスペーサーを介して対向するように配置させた構造となっており、スペーサーによって絶縁されている両透明導電膜をパネル表面の一部を入力ペン等で押圧することにより接触させて電気的に導通させ入力できるようにしたものである。
【０００３】
この透明タッチパネル表面は情報入力時に入力ペン等の先端部で摺動されることにより摩耗して損傷を受けることがあり、従来より、透明タッチパネル表面を保護するためにその上にハードコート層を設けることが行われている。
【発明の開示】
【発明が解決しようとする課題】
【０００４】
しかし、透明タッチパネル表面にハードコート層を形成した場合でも、入力ペン等による摺動が繰り返されることによってハードコート層が剥離し、この剥離部分において透明タッチパネル表面を保護できなくなることがあった。
【０００５】
また、従来の透明タッチパネルは、入力ペン等による摺動が繰り返されることによって透明導電膜にクラックや剥離が生じて、入力不良が発生することがあった。
【０００６】
さらに、従来の透明タッチパネルは、製造工程中の組立時や搬送時に、透明タッチパネルを構成する部材において擦り傷等が発生し、歩留まりが低下していた。
【０００７】
したがって、本発明の目的は、上記の問題を解決し、透明タッチパネル表面および透明導電膜について入力ペン等によって繰り返される摺動に対する耐久性を向上させ、また製造工程中の組立時や搬送時の歩留まり低下を抑えることのできる透明タッチパネルを提供することにある。
【課題を解決するための手段】
【０００８】
目的を達成するために、本発明は、片面に透明導電膜がそれぞれ形成された固定側透明基板と可動側透明基板を透明導電膜どうしがスペーサーを介して対向するように配置させた透明タッチパネルが、可動側の透明基板の透明導電膜が形成された面と反対側に自己治癒性コート層を有するように構成した。
【発明の効果】
【０００９】
本発明の透明タッチパネルは、以上のような構成および作用からなるので、次の効果が奏される。
【００１０】
すなわち、本発明の透明タッチパネルは、可動側の透明基板の透明導電膜が形成された面と反対側に自己治癒性コート層を有する。自己治癒性コート層は情報入力時に変形し、また時間の経過とともに変形前の形状へ復元するので、入力ペン等による摺動が繰り返されても、透明タッチパネル表面が保護され、また透明導電膜にクラックや剥離が発生しにくい。
【００１１】
また、製造工程における組立や搬送中の擦り傷等の損傷を防止しやすくなり、歩留まりを向上することができる。
【発明を実施するための最良の形態】
【００１２】
以下、本発明の透明タッチパネルについて図を参照しながら詳細に説明する。
図１は本発明に係る透明タッチパネルの一実施例を示す断面図である。図中、１は可動側の透明基板、２は固定側の透明基板、３は透明導電膜、４はスペーサー、５は両面テープ、６は自己治癒性コート層をそれぞれ示す。
【００１３】
可動側の透明基板１としては、透明性の高い材料でフレキシブルな板であれば特に限定されない。また、可動側の透明基板１は、１枚の板からなるものであってもよいし、複数枚の板を重ね合わせた積層体であってもよい。なお、本明細書中でいう板にはフィルム状のものも含まれる。また、可動側の透明基板１の透明導電膜３が形成された面と反対側の面には、ハードコート処理や梨地処理、低反射処理、防汚処理等を施しても良いし、これらを複数組み合わせた処理を行っても良い。
【００１４】
固定側の透明基板２としては、透明性の高い材料で外圧により変形を起こさないものが望ましい。例えば、ガラス板やポリカーボネート系樹脂、ポリアミド系樹脂、ポリエーテルケトン系樹脂等のエンジニアリングプラスチックや、ポリエステル系樹脂、アクリル系樹脂、ポリスチレン系樹脂、セルロース系樹脂、ポリオレフィン系樹脂等の樹脂板があげられる。また、固定側の透明基板２は１枚の板からなるものであってもよいし、複数枚の板を重ね合わせた積層体であってもよい。
【００１５】
上記透明基板１，２の光学特性は光学等方性に限定されず、たとえば低反射タッチパネルに使用される１／４波長板等の公知のものが使用できる。なお、低反射タッチパネルは液晶ディスプレイ用の透明タッチパネルで、通常、液晶ディスプレイ側から順に第１の１／４波長板、スペーサーを介して対向する２層の透明導電膜、第２の１／４波長板、偏光板を少なくとも配置してなる。第２の１／４波長板と偏光板とで円偏光タイプの反射防止フィルターを形成させることによって、入力作業を蛍光灯などのある部屋や屋外において行うときでも外部から入射した光の透明導電膜６での反射を効率よくカットするものである。その場合、第２の１／４波長板および偏光板が可動側の透明基板１の全部または一部を構成し、第１の１／４波長板が固定側の透明基板２の全部または一部を構成することになる。
【００１６】
透明導電膜３の材料としては、酸化錫、酸化インジウム、酸化アンチモン、酸化亜鉛、酸化カドミウム、インジウムチンオキサイド（ITO）等の金属酸化物、これらの金属酸化物を主体とする複合膜、金、銀、銅、錫、ニッケル、アルミニウム、パラジウム等がある。透明導電膜３の形成方法としては、真空蒸着法、スパッタリング法、イオンプレーティング法、ＣＶＤ法等が用いられる。
【００１７】
スペーサー４は、いずれかの透明導電膜３の表面に形成されている。スペーサー４としては、透明な光硬化型樹脂をフォトプロセスで微細なドット状に形成して得ることができる。また、印刷法により微細なドットを多数形成してスペーサー４とすることもできる。
【００１８】
上記の可動側および固定側の透明基板１，２は、その周縁を粘着剤あるいは接着剤により貼り合わせて固定している。この粘着剤あるいは接着剤としては、両面テープ５や糊状の粘着剤、アクリル系、エポキシ系、ウレタン系、シリコン系等のUV硬化樹脂、熱硬化性樹脂などの接着剤があげられる。
【００１９】
本発明の特徴は、透明タッチパネルが可動側の透明基板の透明導電膜が形成された面と反対側に自己治癒性コート層６を有することにあり（図１参照）、この自己治癒性コート層６は、架橋やネットワーク構造等の構造を持たせ、変形しても時間の経過とともに変形前の形状へ復元するものである。透明タッチパネルへの情報入力時、透明タッチパネル表面を指や入力ペン等で圧力を加え、また摺動するが、このとき透明タッチパネル内の自己治癒性コート層６が変形することにより、表面の摩擦力、可動側の透明基板内部の応力、透明タッチパネル内の透明導電膜間の接触圧などを低下させる。しかも、時間の経過とともに変形前の形状へ復元する。したがって、透明タッチパネル表面および透明導電膜３について入力ペン等によって繰り返される摺動に対する耐久性を向上させることができる。つまり、透明タッチパネル表面を保護し、また透明導電膜にクラックや剥離が発生しにくくなる。また、製造工程中の組立時や搬送時の歩留まり低下を抑えることができる。なお、本明細書においてはこの時間の経過とともに復元する機能を、短い語でわかりやすく説明するために、生体の『自己治癒』になぞらえたこの表現を利用している。
【００２０】
自己治癒性コート層６としては、アクリル系、ウレタン系、ポリカーボネート系、ポリスチレン系、ポリエステル系、シリコン系、フッ素系等の透明樹脂あるいはその共重合体やブレンドしたもので、比較的柔らかく弾性があり、変形しやすいものを使用する。具体例としては、２液型の特殊アクリル樹脂塗料「自己治癒性クリヤー」（ナトコ社製）等がある。
【００２１】
また、可動側の透明基板１の透明導電膜３が形成された面と反対側に自己治癒性コート層６を設ける場合、自己治癒性コート層６上には、ハードコート処理や梨地処理、低反射処理、防汚処理等を施しても良いし、これらを複数組み合わせた処理を行っても良い。また、ハードコート処理や梨地処理のいずれか、あるいは両方を施した上に自己治癒性コート層６を設けても良い。また、自己治癒性コート層６そのものに、梨地性、低反射性や防汚性等の特性を持たせても良い。
【図面の簡単な説明】
【００２２】
【図１】本発明に係る透明タッチパネルの一実施例を示す断面図である。
【符号の説明】
【００２３】
１  可動側の透明基板、
２  固定側の透明基板、
３  透明導電膜、
４  スペーサー、
５  両面テープ、
６  自己治癒性コート層
【図１】
2008186480.tif 000003